(57)【要約】通信に関するシステムと技術が開示される。システムと技術は、入力装置と、入力装置からの放送チャンネル選択に応答して時限を発生させ、第2の放送チャンネル選択を受信する前に時限が終わるならば放送チャンネルを登録するという要求を発生させ、アクセスネットワークに要求を送信することを含んでいる。
2005535260.tif 000002
【特許請求の範囲】
【請求項１】
放送チャンネルを選択し、
放送チャンネルの選択に従っている期間、放送チャンネルが選択されたままであることを確認し、
時限の終わりに応答してアクセスネットワークに対して放送チャンネルを登録することを含む通信方法。
【請求項２】
周波数を同調させてアクセスネットワークから放送チャンネルを受信することをさらに含む請求項1の方法。
【請求項３】
同調された周波数でアクセスネットワークからページを受信することをさらに含む請求項2の方法。
【請求項４】
放送チャンネルの登録が、アクセスネットワークで放送チャンネルに関連しているデータを記憶し、記憶されたデータからページのための同調された周波数を決定することを含む請求項3の方法。
【請求項５】
放送チャンネルが、第2の時限の終わりに選択されたままでなく、第2の時限の終わりに応答して記憶装置からデータを除去しているいことを確認することをさらに含む請求項4の方法。
【請求項６】
放送チャンネルが、放送チャンネルの登録に従っている第2の期間に選択されたままであり、第2の時限の終わりに応答してアクセスネットワークに対して放送チャンネルを再登録することを確認することをさらに含む請求項1の方法。
【請求項７】
第1の周波数を同調させて放送チャンネルを受信し、その登録に従っている第2の期間の間その放送チャンネルを非選択し、第2の放送チャンネルを選択し、第2の放送チャンネルを受信するために第2の周波数に同調することをさらに含む請求項1の方法。
【請求項８】
第2の時限が終わる前に第1と第2の周波数の両方でアクセスネットワークからページを受信することをさらに含む請求項7の方法。
【請求項９】
第2の時限が終わった後に第2の周波数でアクセスネットワークからページを受信することをさらに含む請求項7の方法。
【請求項１０】
放送チャンネルの登録に従っている第2の期間の間放送チャンネルを非選択にし、第2の時限の間放送チャンネルを再選択し、放送チャンネルの再選択に従っている第3の期間の終わりに応答してアクセスネットワークに対して放送チャンネルを再登録することをさらに含む請求項1の方法。
【請求項１１】
第1の放送チャンネルを選択し、
第1の放送チャンネル選択に応答して第1の時限を確立し、
第1の時限の終わりの前に第1の放送チャンネルを非選択にすることにより、第1の放送チャンネルがアクセスネットワークに対して登録されることを防止し、
第2の放送チャンネルを選択し、
第2の放送チャンネルが第2の放送チャンネルの選択に従っている第2の期間に選択されたままであることを確認し、
第2の時限の終わりにアクセスネットワークに対して第2の放送チャンネルを登録することを含む通信方法。
【請求項１２】
アクセスネットワークから第2の放送チャンネルを受信するため周波数を同調させることをさらに含む請求項11の方法。
【請求項１３】
同調された周波数でアクセスネットワークからページを受信することをさらに含む請求項12の方法。
【請求項１４】
第2の放送チャンネルの登録が、アクセスネットワークで第2の放送チャンネルに関連しているデータを記憶し、記憶されたデータからページのための同調された周波数を決定することを含む請求項13の方法。
【請求項１５】
第2の放送チャンネルが、第2の放送チャンネルの登録に従っている第3の期間の間選択されたままであり、第3の時限の終わりに応答してアクセスネットワークに対して第2の放送チャンネルを再登録することを確認することをさらに含む請求項14の方法。
【請求項１６】
第2の放送チャンネルが第3の期間の終わりに選択されたままでなく、第3の時限の終わりに応答して記憶装置からデータを除去することを確認することを含む請求項14の方法。
【請求項１７】
第2の放送チャンネルを受信するために第1の周波数を同調させ、その登録に従っている第3の期間の間第2の放送チャンネルを非選択にし、第3の放送チャンネルを選択し、第3の放送チャンネルを受信するために第2の周波数に同調することをさらに含む請求項11の方法。
【請求項１８】
第3の時限が終わる前に、アクセスネットワークからの第1と第2の周波数の両方でアクセスネットワークからページを受信することをさらに含む請求項17の方法。
【請求項１９】
第3の時限が終わった後に、アクセスネットワークからの第2の周波数でアクセスネットワークからページを受信することをさらに含む請求項17の方法。
【請求項２０】
第2の放送チャンネルの登録に従っている第3の期間の間第2の放送チャンネルを非選択にし、第3の時限の間第2の放送チャンネルを再選択し、放送チャンネルの再選択に従っている第4の期間の終わりに応答してアクセスネットワークにより第2の放送チャンネルを再登録することをさらに含む請求項11の方法。
【請求項２１】
第2の放送チャンネルの登録がアクセスネットワークに登録要求を送ることを含み、登録要求は第2の放送チャンネルを確認する情報を含む請求項11の方法。
【請求項２２】
登録要求がさらに第1の放送チャンネルを確認する情報を含む請求項21の方法。
【請求項２３】
入力装置と、
入力装置からの放送チャンネル選択に応答するタイマを有し、入力装置からの第2の放送チャンネル選択を受信する前にタイマが時限満了になるならば、放送チャンネルを登録するという要求を発生させるように構成されるプロセッサと、
アクセスネットワークに要求を送信するように構成されたアナログのフロントエンドとを含む装置。
【請求項２４】
アナログのフロントエンドがさらにチューナを含み、プロセッサが入力装置からの放送チャンネル選択に応答してチューナを周波数に設定するようにさらに構成された請求項23の装置。
【請求項２５】
チューナが周波数に設定されるとき、チューナはアクセスネットワークからプロセッサへページを結合するようにさらに構成された請求項24の装置。
【請求項２６】
プロセッサがさらにタイマの時限満了に応答する第2のタイマを含み、プロセッサは、入力装置からの第2の放送チャンネル選択を受信する前に第2のタイマが時限満了になるならば、放送チャンネルを登録するという第2の要求を発生させるようにさらに構成され、アナログのフロントエンドはアクセスネットワークへ第2の要求を送信するようにさらに構成される請求項23の装置。
【請求項２７】
第2のタイマが時限満了になる前に、タイマが入力装置からの第2のチャンネル選択にさらに応答し、入力装置からの第3の放送チャンネル選択を受信する前に、タイマが第2のチャンネル選択に応答して時限満了になるならば、プロセッサは第2の放送チャンネルを登録するという要求を発生させるようにさらに構成され、アナログのフロントエンドは第2の放送チャンネルを登録するという要求をアクセスネットワークへ送信するようにさらに構成される請求項26の装置。
【請求項２８】
タイマが入力装置からの放送チャンネルの再選択にさらに応答し、入力装置からの第3の放送チャンネル選択を受信する前にタイマが時限満了になるならば、プロセッサは放送チャンネルを登録するという第2の要求を発生させるようにさらに構成され、アナログのフロントエンドはアクセスネットワークへの第2の要求を送信するようにさらに構成される請求項27の装置。
【請求項２９】
プロセッサにより発生される登録要求が、前の登録要求に従っている入力装置により選択された各放送チャンネルに関係している情報を含む請求項23の装置。
【請求項３０】
通信方法を実行するためにコンピュータプログラムにより実行可能な指示のプログラムを具体化するコンピュータの読み込み可能な媒体であって、方法が、
放送チャンネル選択を受信し、
放送チャンネルが放送チャンネルの選択に従っている期間の間選択されたままであることを確認し、
時限の終わりに応答してアクセスネットワークに対して放送チャンネルを登録するという要求を発生させることを含む媒体。
【請求項３１】
方法がアクセスネットワークから放送チャンネルを受信するために周波数を同調させることをさらに含む請求項30のコンピュータ読み込み可能な媒体。
【請求項３２】
方法が同調された周波数でアクセスネットワークからのページを受信することをさらに含む請求項31のコンピュータ読み込み可能な媒体。
【請求項３３】
方法がさらに、放送チャンネルが登録要求の発生に従っている第2の期間に選択されたままであり、第2の時限の終わりに応答してアクセスネットワークに対して放送チャンネルを登録するという第2の要求を発生させることを確認することを含む、請求項30のコンピュータ読み込み可能な媒体。
【請求項３４】
方法がさらに、放送チャンネルを受信するために第1の周波数を同調させ、登録要求の発生に従っている第2の期間の間放送チャネンル非選択を受信し、第2の放送チャンネル選択を受信し、第2の放送チャンネルを受信するために第2の周波数を同調させることを含む、請求項30のコンピュータ読み込み可能な媒体。
【請求項３５】
方法がさらに、第2の時限が終わる前に第1と第2の周波数の両方でアクセスネットワークからページを受信することを含む、請求項34のコンピュータ読み込み可能な媒体。
【請求項３６】
方法がさらに、第2の時限が終わった後に第2の周波数でアクセスネットワークからページを受信することを含む、請求項34のコンピュータ読み込み可能な媒体。
【請求項３７】
方法がさらに、放送チャンネルの登録要求に従っている第2の期間の間放送チャンネル非選択を受信し、第2の時限の間放送チャンネル再選択を受信し、放送チャンネルの再選択に従っている第3の期間の終わりに応答してアクセスネットワークに対して放送チャンネルを登録するという第2の要求を発生することを含む、請求項30のコンピュータ読み込み可能な媒体。
【請求項３８】
通信方法を実行するためにコンピュータプログラムにより実行可能な指示のプログラムを具体化するコンピュータ読み込み可能な媒体であって、方法が、
第1の放送チャンネル選択を受信し、
第1の放送チャンネル選択に応答して第1の時限を確立し、
第1の時限の終わりの前に、第1の放送チャンネル非選択に応答してアクセスネットワークに対して第1の放送チャンネルを登録するという要求の発生を防止し、
第2の放送チャンネル選択を受信し、
第2の放送チャンネルが第2の放送チャンネルの選択に従っている第2の期間に選択されたままであることを確認し、
第2の時限の終わりにアクセスネットワークに対して第2の放送チャンネルを登録するという要求を発生させることを含む媒体。
【請求項３９】
方法がさらに、アクセスネットワークから第2の放送チャンネルを受信するために周波数を同調させることを含む、請求項38のコンピュータ読み込み可能な媒体。
【請求項４０】
方法がさらに、同調された周波数でアクセスネットワークからのページを受信することを含む、請求項39のコンピュータ読み込み可能な媒体。
【請求項４１】
方法がさらに、第2の放送チャンネルが第2の放送チャンネルの登録に従っている第3の期間に選択されたままであり、第3の時限の終わりに応答してアクセスネットワークに対して第2の放送チャンネルを再登録することを確認することを含む、請求項38のコンピュータ読み込み可能な媒体。
【請求項４２】
方法がさらに、第2の放送のチャンネルを受信するために第1の周波数を同調させ、アクセスネットワークに対して第2の放送チャンネルを登録するという要求の発生に従っている第3の期間の間、第2の放送チャンネル非選択を受信し、第3の放送チャンネル選択を受信し、第3の放送チャンネルを受信するために第2の周波数に同調させることを含む、請求項38のコンピュータ読み込み可能な媒体。
【請求項４３】
方法がさらに、第3の時限が終わる前に第1と第2の周波数の両方でアクセスネットワークからページを受信することを含む、請求項42のコンピュータ読み込み可能な媒体。
【請求項４４】
方法がさらに、第3の時限が終わった後に第2の周波数でアクセスネットワークからページを受信することを含む、請求項42のコンピュータ読み込み可能な媒体。
【請求項４５】
方法がさらに、放送チャンネルの登録要求に従っている第3の期間の間第2の放送チャンネル非選択を受信し、第3の時限の間第2の放送チャンネル再選択を受信し、放送チャンネルの再選択に従っている第4の期間の終わりに応答してにアクセスネットワークに対して第2の放送チャンネルのを登録するという第2の要求を発生させることを含む、請求項38のコンピュータ読み込み可能な媒体。
【請求項４６】
登録要求が第2の放送チャンネルを確認する情報を含む請求項38のコンピュータ読み込み可能な媒体。
【請求項４７】
登録要求がさらに第1の放送チャンネルを確認する情報を含む請求項46のコンピュータ読み込み可能な媒体。
【請求項４８】
入力装置と、
入力装置からの放送チャンネル選択に応答して時限を発生させる手段と、
第2の放送チャンネル選択を受信する前に時限が終わるならば、放送チャンネルを登録するという要求を発生させる手段と、
要求をアクセスネットワークに送信する手段とを含む装置。
【請求項４９】
放送チャンネル選択を受信するために周波数を同調させる手段をさらに含む請求項48の装置。
【請求項５０】
周波数でアクセスネットワークからのページを処理する手段を含む請求項49の装置。
【請求項５１】
第1の時限の終わりに応答して第2の時限を発生させる手段と、入力装置からの第2の放送チャンネル選択を受信する前に第2の時限が終わるならば、放送チャンネルを登録するという要求を発生させる手段と、アクセスネットワークへ第2の要求を送信する手段とをさらに含む請求項48の装置。
【請求項５２】
第2の時限が終わる前に入力装置からの第2のチャンネル選択に応答して第3の時限を発生させる手段と、入力装置から第3の放送チャンネル選択を受信する前に第3の時限が終わるならば、第2の放送チャンネルを登録するという要求を発生させる手段と、アクセスネットワークに第2の放送チャンネルを登録するという要求を送信する手段とをさらに含む請求項51の装置。
【請求項５３】
入力装置からの放送チャンネルの再選択に応答して第4の時限を発生させる手段と、入力装置からの第3の放送チャンネル選択を受信する前に第4の時限が終わるならば、放送チャンネルを登録するという第2の要求を発生させる手段と、アクセスネットワークに第2の要求を送信する手段とをさらに含む請求項52の装置。
【請求項５４】
プロセッサにより発生された登録要求が、前の登録要求に従っている入力装置により選択された各放送チャンネルに関係している情報を含む請求項48の装置。
【発明の詳細な説明】
【技術分野】
【０００１】
本発明は一般に放送通信システムに係り、なお特に、放送通信システムにおける登録のためのシステムと技術に関連する。
【背景技術】
【０００２】
無線は多重無線装置を結合するために自由空間を通して伝播される電磁波を使用して通信のシステムに関連している。無線は無線送信器から無線受信器を有するだれへも商業放送を送る公共の媒体として一般的に使用され、しばしばポイントツーマルチポイント媒体と呼ばれる。しかしながら、無線はまたポイントツーポイント媒体上で2人以上のユーザ間の個人的な通信に使用することができる。無線電話はポイントツーポイント通信をサポートするように構成された無線トランシーバーの共通の例である。
【０００３】
様々なインフラストラクチャがポイントツーポイント通信をサポートするために数年に亘って開発された。例えば、セル通信では、基地局コントローラはネットワークと地理的な領域の中で分散されるすべての基地局との間で音声とデータ通信をサポートするためにしばしば使用される。地理的な領域はセルとして知られているカバー領域に通常分割される。一般に基地局は、そのセル領域のすべての加入者局に役立つように割り当てられる。いくつかの高いトラフィック領域では、セル領域がセクターに分割され、1つの基地局が各セクターに役立っているかもしれない。無線加入者局上のユーザは、1つ以上の基地局を通してネットワークにアクセスするか、または別の無線加入者局と通信するこができる。
【発明の開示】
【発明が解決しようとする課題】
【０００４】
セルラ技術における最近の進歩によって、放送サービスに既存のポイントツーポイントセルラ方式を利用ことに関心があった。既存のセルラ方式への商業放送の付加はセルラユーザに現在提供されているそれらのサービスと放送サービスの統合を必要とする。加入者局は放送モードとポイントツーポイント通信モードの両方で機能することができる必要がある。
【課題を解決するための手段】
【０００５】
本発明の1つの態様では、通信の方法は、放送チャンネルを選択し、放送チャンネルの選択に従っている期間、放送チャンネルが選択されたままであることを確認し、時限の終わりに応答してアクセスネットワークに対して放送チャンネルを登録することを含む。
【０００６】
本発明の別の態様では、通信の方法は、第1の放送チャンネルを選択し、第1の放送チャンネル選択に応答して第1の時限を確立し、第1の期間の終わりの前に第１の放送チャンネルを非選択することにより第１の放送チャンネルがアクセスネットワークに対して登録されることを防止し、第2の放送チャンネルを選択し、第2の放送チャンネルの選択に従っている第2の期間、第2の放送チャンネルが選択されたままであることを確認し、第2の時限の終わりにアクセスネットワークに対して第2の放送チャンネル登録することを含む。
【０００７】
本発明の別の態様では、装置は、入力装置と、入力装置からの放送チャンネル選択に応答するタイマを有するプロセッサとを含み、プロセッサは入力装置から第2の放送チャンネル選択を受信する前にタイマが時限満了になるならば、放送チャンネルを登録するという要求を発生させるように構成され、アナログのフロントエンドはアクセスネットワークに要求を送信するように構成される。
【０００８】
本発明のさらなる態様において、コンピュータプログラムにより実行可能な指示のプログラムを具体化するコンピュータ読み込み可能な媒体が通信の方法を実行し、その方法は、放送チャンネル選択を受信し、放送チャンネルの選択に従っている期間、放送チャンネルが選択されたままであることを確認し、時限の終わりに応答してアクセスネットワークに対して放送チャンネルを登録するという要求を発生させることを含む。
【０００９】
本発明のさらなる態様では、コンピュータプログラムにより実行可能な指示のプログラムを具体化するコンピュータ読み込み可能な媒体が通信の方法を実行し、その方法は、第1の放送チャンネル選択を受信し、第1の放送チャンネル選択に応答して第1の時限を確立し、第1の時限の終わりの前に第1の放送チャンネル非選択に応答してアクセスネットワークに対して第1の放送チャンネルを登録するという要求の発生を防止し、第2の放送チャンネル選択を受信し、第2の放送チャンネルの選択に従っている第2の期間、第2の放送チャンネルが選択されたままであることを確認し、第2の時限の終わりにアクセスネットワークに対して第2の放送チャンネルを登録するという要求を発生させることを含む。
【００１０】
本発明の別の態様では、装置は、入力装置と、入力装置からの放送チャンネル選択に応答して時限を発生させる手段と、第2の放送チャンネル選択を受信する前に時限が終わるなら放送チャンネルを登録するという要求を発生させる手段と、アクセスネットワークに要求を送信する手段とを含む。
【００１１】
本発明の他の実施例が、図解の方法により発明の模範的実施例のみを示しかつ説明する以下の詳細な記述によって技術に熟練した者に容易に明らかになることが理解される。はっきり理解されるように、発明は他の異なった実施例が可能であり、そのいくつかの詳細は本発明の精神および範囲から逸脱することなく、他の様々な点で変更が可能である。従って、図面と詳細な記述は事実上説明に役立ものとして、かつ限定としてではなく見なされるべきである。
【００１２】
本発明の態様が、添付の図面によって限定の方法でではなく、例の方法で説明される。
【発明を実施するための最良の形態】
【００１３】
添付図面と関連して以下に示された詳細な説明は、本発明の模範的実施例の記述として意図され、本発明が実施されうる唯一の実施例を表わすことを意図しない。この記述をとおして使用される“模範的”の用語は“例として役立つ、実例、または例証”を意味し、他の実施例より好ましいまたは有利であるとして解釈されるべきであるというわけではない。詳細な記述は本発明の徹底的な理解を提供する目的の特定の詳細を含んでいる。しかしながら、本発明がこれらの特定の詳細なしで実施されることは技術に熟練した者に明らかになるだろう。いくつかの例では、本発明の概念をあいまいにすることを避けるために、周知の構造と装置がブロックダイアグラムの形で示される。
【００１４】
図1は既存の無線セルラインフラストラクチャ上で高速放送サービスを提供することができる模範的通信システム100の概念的なブロックダイアグラムである。既存の無線セルラインフラストラクチャは、無線の加入者局102のユーザがアクセスネットワーク104を通して他の無線の加入者局と通信することを許容する。アクセスネットワーク104は基地局106の集合と１つ以上の基地局コントローラ(BSC)108とを含んでいる。アクセスネットワーク104は、放送ネットワーク110などのアクセスネットワークの外の追加ネットワークに関連づけられ、それぞれの加入者局102と放送ネットワーク110との間でデータパケットを輸送するかもしれない。放送ネットワークは1つ以上のコンテンツサーバ112を含むかもしれない。代わりに、コンテンツサーバ112は放送ネットワーク110の外に位置することがでる。とにかく、コンテンツサーバ112は、例えばCBS、NBC、ABC、FOX、ESPNなどの１つ以上の放送チャンネルからのプログラミングを含んでいるデータパケットを発生する。
【００１５】
模範的通信システム100は、多くの加入者局102により受信されることができる高いデータレートを可能にする順方向放送共有チャンネル(F-BSCH)114を導入することにより、高速放送サービスを可能にする。F-BSCH 114は固定された搬送周波数で１つ以上の放送チャンネルを運ぶ順方向リンク“物理的”チャンネルである。放送チャンネルは、それらが各データパケットに添付された放送チャンネル識別子により別のものから区別されるので、順方向リンク“論理的”チャンネルとして参照される。理論上、単一のF-BSCHが加入者局102へすべての放送チャンネルを配達するために使用することができる。しかしながら、実際問題として、すべての放送チャンネルを扱うために単一のF-BSCHの使用は主に帯域幅制限のため非常に実行可能ではない。従って、放送チャンネルはそれぞれ異なった搬送周波数を有する多重F-BSCHの中に割り当てられるべきである。
【００１６】
ポイントツーポイント通信をサポートするために、ページングチャンネルがそれぞれのF-BSCH搬送周波数に割当てられるべきである。ページングチャンネルは呼が到着するとき加入者局をページするため基地局により使用されることができる。ページチャンネルを各F-BSCH搬送周波数に割当てることによって、ユーザはユーザが選んだどの放送チャンネルにもかかわらずページをいつも受信することができる。基地局が適切な搬送周波数に加入者局をページすることを確実にするため、登録手順が使用されることができる。任意の与えられたアプリケーションのために特定の設計パラメタに依存する様々な方法で登録手順を実行することができる。例えば、ユーザが異なった放送チャンネルを選択するときはいつもアクセスネットワークに対して登録するように加入者局を構成することができる。この登録手順は、呼が到着するとき、基地局が加入者局を見つけることができるどの周波数かを知るメカニズムを提供するだろう。
【００１７】
図2は図1の模範的通信システムの加入者局と通信する基地局の機能的なブロックダイアグラムである。放送モードでは、BSC(示されない)からのデータパケットはバックホール（backhaul）を通してプロセッサ202により受け取られる。プロセッサ202はデータパケットのコード化と変調、およびアナログ信号への変換などの様々な信号処理機能を提供することができる。アナログ信号はアナログフロントエンド(AFE)204に供給され、そこでそれは加入者局102へ伝送するために適切な搬送周波数へ上昇変換される。AFE 204はまた、アンテナ206を通してF-BSCH上に送信の前にフィルタリングと増幅を提供される。
【００１８】
加入者局102では、放送はアンテナ208によって受信され、AFE 210に提供される。AFE 210は1つの物理的なチャンネル、即ち、F-BSCHを選択するチューナを含んでいる。また、AFEは選択されたF-BSCHを増幅し、フィルターにかけベースバンド信号に下降変換する。ベースバンド信号はプロセッサ212に結合され、放送内容を回復するために基地局106で実行された処理機能の逆、特に復調と復号化を提供される。そして、放送内容は表示214を通してユーザに提供することができる。キーパッドや同様のものなどのユーザ入力装置216が放送チャンネルを選択するために使用することができる。ユーザ入力装置216はプロセッサ212に接続され、ユーザによって選択された論理的な放送チャンネルがアクセスネットワークに対して放送チャンネルを登録するための登録要求218を発生させるように使用することができる。後でより詳細に説明されるように、監視タイマ220と多くの登録タイマ222が登録要求の発生を制御するために使用されることができる。ユーザによって選択された論理的な放送チャンネルはまた、プロセッサ212によってそれらの物理的なチャンネル、すなわちF-BSCHにマップされることができる。プロセッサ212によって実行されるマッピング機能に基づいて、チューナがユーザによって選択された放送チャンネルを受信するように適切な周波数に設定することができる。
【００１９】
さまざまな方法で登録手順を実行することができる。説明された模範的実施例では、加入者局プロセッサは加入者局のユーザによって加入されたそれぞれの放送チャンネルのために登録タイマを維持する。電力が初めに加入者局に適用されるとき、加入者局プロセッサはそれぞれの放送チャンネルのために登録タイマをリセットする。そして加入者局プロセッサは、ポイントツーポイント通信のための手順または技術で知られている任意の他の手順を通常寄せ集めて使用して、アクセスネットワークに対して登録のためにチューナを指定された周波数に設定する。ユーザがコンテンツサーバから放送サービスを受信するために放送チャンネルを選択するとき、加入者局プロセッサはアクセスネットワークに対して選択された放送チャンネルを登録して、その放送チャンネルのために登録タイマを始動する。登録の処理は加入者局からアクセスネットワークへ登録要求を送信することを含む。登録要求は加入者局プロセッサで発生され、ユーザによって選択された放送チャンネルを含んでいる。登録タイマが時限満了になるとき放送チャンネルが選択されたままであるなら、加入者局プロセッサはアクセスネットワークに対して選択された放送がチャンネルを再登録し、選択された放送チャンネルのために登録タイマを再始動する。ユーザが異なる放送チャンネルを選択しとき、加入者局プロセッサはアクセスネットワークに対して新しい放送チャンネルを登録して、その放送チャンネルのために登録タイマを始動する。
【００２０】
加入者局のユーザにより加入された各放送チャンネルのための別々の登録タイマと同様に、基地局プロセッサは加入者局ために“ページングセット”を維持する。電力上昇登録を受信すると、加入者局のためのページングセットはポイントツーポイント通信のために指定されたページングチャンネルの周波数を含むように初期化される。基地局プロセッサが加入者局から放送チャンネルを登録するという要求を受信するとき、基地局プロセッサは放送チャンネルをページングセットに加え、その放送チャンネルのために登録タイマを始動する。登録タイマは加入者局からのその後の登録要求によって再起動されることができる。登録タイマが時限満了になるならば、基地局プロセッサはページングセットから放送チャンネルを取り除く。
【００２１】
加入者局への入来呼があるとき、ページングセットにおける各放送チャンネルのために搬送周波数を決定するため、基地局プロセッサは物理的なチャンネル、すなわち、F-BSCHSにページングセットの内容をマップする。そして、基地局は、ポイントツーポイント通信のためにページングチャンネルについて指定された周波数と同様に、それぞれの搬送周波数上でページングメッセージを加入者局に送る。活動的な登録タイマで1つ以上の放送チャンネルを運んでいるすべての周波数のページングメッセージを送ることにより、入来呼が到着する近くまたは大よその時間にユーザが多重放送チャンネルを切り換えているとき、ページを逃す機会は減少される。
【００２２】
加入者局の登録タイマは基地局の応答する登録タイマに同期されるべきであるか、または基地局の登録タイマは加入者局のそれらの応答する登録タイマの前に時限満了になるべきでない。基地局の登録タイマが加入者局の応答する登録タイマの前に時限満了になるならば、基地局はページングセットから放送チャンネルを早まって取り除くかもしれず、一方加入者局はその放送チャンネルに残ったままである。
【００２３】
選択する放送チャンネルがどれかを決める前に、ユーザが放送チャンネルを通してブラウズするとき、アクセスネットワークに頻繁な登録要求を送るのを避けるために監視タイマを使用することができる。ユーザが放送チャンネルを選択するとき、監視タイマを起動すことができ、監視タイマが時限満了になるまで、その放送チャンネルの登録を遅らせることができる。監視タイマは各放送チャンネル選択に応答する単一の再起動可能なタイマで実施することができる。この構成では、監視タイマはユーザが放送チャンネルをブラウズするとき絶えず再起動され、ユーザが予定された期間１つの放送チャンネル上に留まるまで時限満了しない。代わりに、監視タイマはそれぞれの放送チャンネルのために別々のタイマで実施することができる。この構成では、そのそれぞれのタイマが時限満了になるとき、放送チャンネルが選択されたままである場合だけ、放送チャンネルはアクセスネットワークに対して登録されるであろう。とにかく、いったん放送チャンネルが監視タイマによって設定された期間選択されたままであるなら、登録要求をアクセスネットワークに送ることができ、その放送チャンネルのための登録タイマを始動することができる。ユーザが非選択でありかつ登録タイマが活動的である間放送チャンネルに戻るならば、監視タイマはそれにもかかわらず始動されるべきである。登録タイマが時限満了になるとき、監視タイマが活動的であるならば、監視タイマが時限満了になるまで、放送チャンネルの登録は遅らされるべきである。言い換えれば、監視タイマがその登録タイマの状態にかかわらず時限満了になるまで、放送チャンネルはアクセスネットワークに対して登録されるべきでない。
【００２４】
監視タイマと登録タイマの期間は固定することができ、代わりに、基地局により加入者局に送信された配置可能なパラメタであることができる。監視タイマと登録タイマのための期間はユーザ振舞い統計、送信される放送チャンネルの数、ネットワーク負荷、または技術に熟練した者に知られているいずれかの他の関連パラメタに基づいて選択されるかもしれない。監視タイマのための期間は登録タイマの期間よりも短くすべきである。監視タイマのための期間は、遅れた登録のため逃されたページの危険を最小にするために比較的短くすべきである。他方、登録タイマのための期間は、登録のための帯域幅要求を減少するために比較的長くすべきである。しかしながら、技術に熟練した者が認識するように、監視タイマの期間は登録タイマの期間より必ず短い必要はなく、監視タイマと登録タイマの間の実際の相対的な期間は、特定のアプリケーションと総合的な設計束縛に依存してどんな値にも設定され得る。
【００２５】
前に示されたように、登録要求はユーザによって選択される放送チャンネルを含んでいる。この情報は、ページングセットを維持するために基地局によって必要とされる。しかしながら、他の関連する情報もまた役に立つかもしれない。例えば、最終的な選択をする前にユーザがブラウズする特定の放送チャンネルは、今後のプログラミングを改良するのに役に立つ情報をコンテンツサーバに提供するかもしれない。しかしながら、加入者局が、ユーザが単にブラウズする放送チャンネルの登録を防止する監視タイマを使用するならば、この情報は容易に利用可能でないかもしれない。従って、加入者局の少なくとも一実施例では、プロセッサは放送チャンネルが選択されたままの時間の長さにかかわらずユーザによってされた各選択を記憶するメモリを含んでいる。いったん放送チャンネルが監視タイマを時限満了にするに十分な期間選択されたままであると、最後の登録要求以来ユーザにより選択されたすべての放送チャンネルを用いて登録要求がアクセスネットワークに送信されることができる。放送チャンネルがページングセットに加えられるべきであるかどうか、または放送チャンネルが統計的な目的だけのために提供されているかどうかを示すために、登録要求はそれぞれの放送チャンネルに添付される1ビット以上を使用することができる。登録要求からの情報は基地局で抽出されてアクセスネットワークを通してコンテンツサーバに輸送されることができる。コンテンツサーバはシステムを評価し、ユーザに請求書を送り、ユーザの振舞いを追跡する作成のために情報を使用することができる。
【００２６】
代わりに、コンテンツサーバは、ある放送チャンネルだけがモニターされることを要求している加入者局に送られるメッセージを用いて、加入者局によって提供された情報の内容を制御することができる。コンテンツサーバが放送チャンネル追跡機能に活発に参加している通信システムでは、コンテンツサーバからの問合せに応答して登録要求または別々の専用チャンネルで加入者局から情報を送ることができる。
【００２７】
図3は加入者局プロセッサによって実施されることができる模範的登録アルゴリズムを例証するフローチャートである。模範的登録アルゴリズムは加入者局プロセッサで動いている通信ソフトウェアで実行することができる。加入者局プロセッサは汎用のプロセッサまたはディジタル信号プロセッサ(DSP)であるかもしれない。代わりに、登録アルゴリズムは、特定用途向け集積回路(ASIC)であるプロセッサ、フィールドプログラマブルゲートアレイ(FPGA)または他のプログラマブル論理デバイス、離散的なゲートまたはトランジスタ論理、離散的なハードウェア部品、またはそれらのあらゆる組み合わせで実施されることができる。
【００２８】
図3に戻って、加入者局プロセッサはステップ302でポイントツーポイント通信のために基地局に対して登録する。そして、ユーザはステップ304でコンテンツサーバから放送サービスを受信するため放送チャンネルを選択する。応答として、加入者局プロセッサはステップ306で監視タイマを始動し、監視タイマがステップ308で活動的である間他の放送チャンネル選択についてユーザ入力装置をモニターする。監視タイマが時限満了になる前に加入者局プロセッサが新しい放送チャンネル選択を検出するならば、加入者局プロセッサはステップ312で監視タイマを再始動し、さらなる放送チャンネル選択のためにユーザ入力装置をモニターするステップ308にループを戻す。監視タイマが時限満了になるとき、放送チャンネルが選択されたままであるならば、加入者局プロセッサはステップ314でアクセスネットワークに対して放送チャンネルを登録して、ステップ316で登録タイマを始動して、登録タイマがステップ318で活動的である間新しい放送チャンネル選択のためにユーザ入力装置をモニターする。登録タイマが時限満了になる前に新しい放送チャンネルが選択されるならば、加入者局プロセッサは監視タイマを再始動するためにステップ306にループを戻す。登録タイマが時限満了になるとき、放送チャンネルが選択されたままであるならば、加入者局プロセッサはアクセスネットワークに対して放送チャンネルを再登録するためステップ314にループを戻し、かつ登録タイマを再始動するためにステップ316にループを戻す。
【００２９】
登録アルゴリズムのために上で説明されたステップのシーケンスは例としてであり、限定としてではない。技術に熟練した者はある一定のステップを順不同に実行するか、または実際の実施において平行に実行することができることを認識するであろう。そのうえ、1つ以上のステップが技術で知られている他の方法と処理で省略されるか、または結合されるかもしれない。
【００３０】
図4は図3に関して説明された登録アルゴリズムを使用して加入者局とアクセスネットワークの間で模範的登録シナリオを例証するタイミングダイヤグラムである。タイミングダイヤグラムは“時間”に関する水平軸、および下に物理的チャンネルの“搬送周波数”割り当て、上に様々なタイマの状態を示す垂直軸を含んでいる。例証目的のために、ポイントツーポイント通信のためのページングチャンネルがf３として表わされるであろう。2つの物理的なチャンネル、即ち、コンテンツプロバイダーから放送サービスを運んでいるF-BSCHが、ｆ１とｆ２として表わされる周波数割当てを持つであろう。物理的なチャンネルの１つは単一の論理的な放送チャンネルCH３を運び、他の物理的なチャンネルは2つの論理的な放送チャンネルCH１およびCH２を運ぶ。
【００３１】
時間ｔ１で電力が加入者局に適用される。加入者局プロセッサは技術で知られているいずれかの手順を用いてポイントツーポイント通信のためにチューナ周波数をf３に設定して、監視タイマと登録タイマをリセットし、基地局に対して登録する。基地局は搬送周波数f３を含むように加入者局のページングセットを初期化する。
【００３２】
時間t２のときに、ユーザはユーザ入力装置で放送チャンネルの1つCH１を選択する。加入者局プロセッサはチューナ周波数をf１に設定して、監視タイマを始動する。
時間t３のときに、監視タイマは時限満了になる。加入者局プロセッサは放送チャンネルCH１のために登録タイマを始動して、放送チャンネルCH１を登録するという要求をアクセスネットワークに送信する。登録要求に応答して、基地局は放送チャンネルCH１をページングセットに加え、放送チャンネルCH１のためにその登録タイマを始動する。この時点でページングセットは｛CH１，f３｝を含む。
【００３３】
時間t４で、ユーザはユーザ入力装置で別の放送チャンネルCH２を選択する。加入者局プロセッサは監視タイマを始動する。
時間t５のときに、監視タイマの時限満了の前に、ユーザはユーザ入力装置で別の放送チャンネルCH３を選択する。加入者局プロセッサはチューナ周波数をf2に設定し、監視タイマを再始動する。
【００３４】
時間t６で、放送チャンネルCH１のための登録タイマは時限満了になる。ユーザが異なった放送チャンネルを選択したので、加入者局は放送チャンネルCH１のために登録要求をアクセスネットワークに送らないので、その結果、放送チャンネルCH１のための基地局の登録タイマは、基地局にページングセットから放送チャンネルCH１を取除かせるように時限満了するであろう。この時点で、ページングセットは{f３}を含んでいる。
【００３５】
T７では、監視タイマが時限満了になる。加入者局プロセッサは放送チャンネルCH３のために登録タイマを始動して、放送チャンネルCH３を登録するという要求をアクセスネットワークに送信する。登録要求に応答して、基地局はページングへセットに放送チャンネルCH３を加え、放送チャンネルCH３のためにその登録タイマを始動する。この時点で、ページングセットは{CH３，f３}を含んでいる。
【００３６】
時間t８のときに、放送チャンネルCH３のための登録タイマは時限満了になる。同じ放送チャンネルCH３がユーザによってまだ選択されているので、加入者局プロセッサは放送チャンネルCH３を登録するという別の要求をアクセスネットワークに送って、放送チャンネルCH３のために登録タイマを再始動する。基地局は登録要求に応答してページングセットに放送チャンネルCH３を保持するだろう。
【００３７】
時間t９で、ユーザはユーザ入力装置で放送チャンネルCH２を再選択する。加入者局プロセッサはチューナ周波数をf１に設定して、監視タイマを再始動する。
時間t１０で、監視タイマは時限満了になる。加入者局プロセッサは放送チャンネルCH２のために登録タイマを始動して、放送チャンネルCH２を登録するという要求をアクセスネットワークに送信する。登録要求に応答して、基地局は放送チャンネルCH２をページングセットに加え、放送チャンネルCH２のためにその登録タイマを始動する。この時点でページングセットは{CH２，CH３，f３}を含んでいる。
【００３８】
時間t１１で、放送チャンネルCH３のための登録タイマは時限満了になる。ユーザが異なった放送チャンネルを選択したので、加入者局は放送チャンネルCH3のために登録要求をアクセスネットワークに送らない、その結果、放送チャンネルCH３のための基地局における登録タイマは、基地局にページングセットから放送チャンネルCH３を取除かせるように時限満了するであろう。この時点で、ページングセットは{CH２，f３}を含んでいる。
【００３９】
時間t１２で、ユーザはユーザ入力装置で放送チャンネルCH３を再選択する。加入者局プロセッサは監視タイマを始動する。
時間t１３で、監視タイマの時限満了の前に、ユーザはユーザ入力装置で放送チャンネルCH２を再選択する。加入者局プロセッサは監視タイマを再始動する。
【００４０】
時間t１４で、放送チャンネルCH２のための登録タイマは時限満了になる。しかしながら、監視タイマが時限満了でないので、加入者局プロセッサは登録要求をアクセスネットワークに送信せず、加入者局プロセッサは放送チャンネルCH２のための登録タイマを再始動しない。その結果、放送チャンネルCH２のための基地局における登録タイマは、基地局にページングセットから放送チャンネルCH２を取除かせるように時限満了する。この時点でページングセットは{f３}を含んでいる。
【００４１】
時間t１５で、監視タイマは時限満了になる。加入者局プロセッサは放送チャンネルCH２のために登録タイマを再始動して、放送チャンネルCH２を登録するという要求をアクセスネットワークに送信する。登録要求に応答して、基地局はページングセットに放送チャンネルCH２を加え戻し、放送チャンネルCH２のためにその登録タイマを再始動する。この時点でページングセットは｛CH２，f3｝を含んでいる。
【００４２】
時間t１６で、加入者局への呼が基地局に到着する。基地局は通信システムによってサポートされた物理的なチャンネルにページングセットに含まれた論理的な放送チャンネルをマップする。マッピング機能は放送チャンネルCH２のための搬送周波数f１に帰着する。結果として、基地局は搬送周波数f１とf３によって加入者局にページを送る。加入者局プロセッサは搬送周波数f１によってページを受信し、応答でチューナ周波数をf３に設定し、ポイントツーポイント通信モードにおける呼パラメタを交渉する。加入者局と基地局の登録タイマはこの時にリセットされることができ、代わりに、時限満了することを許容される。どちらにしても、基地局の登録タイマがいったんリセット(または時限満了)されると、基地局は加入者局からの新しい登録要求がないときページングセットから放送チャンネルCH２を取除くであろう。
【００４３】
ここで開示された実施例に関連して記述された様々な例示の論理的ブロック、モジュール、回路、及びアルゴリズムステップは電子ハードウェア、コンピュータソフトウェア、または双方の組合せとして実施できることを当業者は理解するであろう。このハードウェア及びソフトウェアの互換性を明瞭に示すために、様々な例示部品、ブロック、モジュール、回路、及びステップがそれらの機能性に関して一般に上で記述されてきた。そのような機能性がハードウェアまたはソフトウェアとして実施されるかどうかは全体のシステムに課せられた特定の応用及び設計の制約に依存する。熟練技術者は特定の各応用について種々の方法で記述された機能性を実施できるであろうが、そのような実施の決定は本発明の範囲から逸脱するものと解釈されるべきではない。
【００４４】
ここに開示された実施例に関連して記述された様々な例示の論理的ブロック、モジュール、及び回路は一般用途プロセッサ、ディジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、個別ゲートまたはトランジスタ論理、個別ハードウェア部品、またはここに記述された機能を実行するために設計されたそのあらゆる組合せによって実施、或いは実行される。一般用途プロセッサはマイクロプロセッサでもよいが、これの代りでは、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと接続した１つ以上のマイクロプロセッサ、またはそのようなあらゆる他の構成として実施される。
【００４５】
ここに開示された実施例に関連して記述された方法またはアルゴリズムのステップは直接ハードウェアにおいて、プロセッサによって実行されるソフトウェアモジュールにおいて、或いは２つの組合せにおいて組込まれる。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、交換可能ディスク、ＣＤ−ＲＯＭ、または当技術分野において既知の他の型式の記憶媒体に存在してもよい。典型的な記憶媒体はプロセッサが記憶媒体から情報を読取り、記憶媒体に情報を書込むことができるようにプロセッサに接続される。それに代るものでは、記憶媒体はプロセッサに一体化してもよい。プロセッサ及び記憶媒体はＡＳＩＣに存在してもよい。ＡＳＩＣはユーザー端末に存在してもよい。それに代るものでは、プロセッサ及び記憶媒体はユーザー端末中に個別部品として存在してもよい。
【００４６】
開示された実施例の先の記述は当業者が本発明を行い、或いは使用することを可能にするために提供される。これらの実施例への様々な変更は当業者には直ちに明白であり、ここに定義された一般原理は本発明の精神または範囲から逸脱することなく他の実施例に適用できる。したがって、本発明はここに示された実施例に限定されることを意図せず、ここに開示された原理及び新規な特徴と両立する最も広い範囲を与えられるべきである。
【図面の簡単な説明】
【００４７】
【図１】既存の無線のセルラインフラストラクチャ上の高速放送サービスをサポートしている模範的通信システムの概念的なブロックダイアグラムである。
【図２】図1の模範的通信システムの基地局と通信する加入者局の機能的なブロックダイアグラムである。
【図３】図2の加入者局に存在するプロセッサによって実行される模範的登録アルゴリズムを例証するフローチャートである。
【図４】図3に関して説明された登録アルゴリズムを使用している加入者局とアクセスネットワークとの間の模範的登録シナリオを例証するタイミングダイヤグラムである。
【図１】
2005535260.tif 000003
【図２】
2005535260.tif 000004
【図３】
2005535260.tif 000005
【図４】
2005535260.tif 000006
【国際調査報告】
2005535260.tif 000007
2005535260.tif 000008
2005535260.tif 000009